(57)【要約】ハウジングレス坑井ポンプ組立体を説明する。ポンプ組立体は、端と端で軸線方向に結合され、坑井流体をアップホール方向に圧送する多数のポンプ段を含む。各ポンプ段は、坑井ポンプ組立体を通って流体を流す運動エネルギーを提供するために回転する回転インペラと、回転インペラが内部に位置決めされた固定ディフューザとを含む。固定ディフューザは、回転インペラから受け取った運動エネルギーを揚程に変換して坑井ポンプ組立体を通って流体を流す。固定ディフューザは、アップホール側のねじ付き端とダウンホール側のねじ付き端とを含み、それぞれのねじ付き端は、アップホール側に位置決めされた別のポンプ段及びダウンホール側に位置決めされた別のポンプ段とねじ結合する。アップホール側のねじ付き端のねじ山及びダウンホール側のねじ付き端のねじ山は、回転インペラの回転方向と反対方向に形成されている。
2020534472.tif 000002
【特許請求の範囲】
【請求項１】
ハウジングレスの坑井ポンプ組立体であって：
端と端で軸線方向に結合され、坑井流体をアップホール方向に圧送するように構成された複数のポンプ段を備え、
各ポンプ段は：
前記坑井ポンプ組立体を通って流体を流す運動エネルギーを提供するために回転するように構成された回転インペラと；
前記回転インペラが内部に位置決めされた固定ディフューザと；を備え、
前記固定ディフューザは、前記回転インペラから受け取った前記運動エネルギーを揚程に変換して前記坑井ポンプ組立体を通って前記流体を流すように構成され、
前記固定ディフューザは、アップホール側のねじ付き端とダウンホール側のねじ付き端とを備え、それぞれのねじ付き端は、アップホール側に位置決めされた別のポンプ段及びダウンホール側に位置決めされた別のポンプ段とねじ結合するように構成され、前記アップホール側のねじ付き端のねじ山及び前記ダウンホール側のねじ付き端のねじ山は、前記回転インペラの回転方向と反対方向に形成されている、
ポンプ組立体。
【請求項２】
前記アップホール側のねじ付き端の前記ねじ山は、前記固定ディフューザの外面に形成され、前記ダウンホール側のねじ付き端の前記ねじ山は、前記固定ディフューザの内面に形成されている、
請求項１に記載のポンプ組立体。
【請求項３】
前記アップホール側のねじ付き端の前記ねじ山は、前記固定ディフューザの内面に形成され、前記ダウンホール側のねじ付き端の前記ねじ山は、前記固定ディフューザの外面に形成されている、
請求項１に記載のポンプ組立体。
【請求項４】
前記アップホール側のねじ付き端と、前記アップホール側に位置決めされた別のポンプ段の前記ダウンホール側のねじ付き端と、の間に位置決めされた第１のシールと；
前記ダウンホール側のねじ付き端と、前記ダウンホール側に位置決めされた別のポンプ段の前記アップホール側のねじ付き端と、の間に位置決めされた第２のシールと；を更に備える、
請求項３に記載のポンプ組立体。
【請求項５】
最もダウンホール側のポンプ段のダウンホール側のねじ付き端にねじ結合されたねじ付き端を備えるポンプベースであって、前記ポンプベースの前記ねじ付き端のねじ山と前記最もダウンホール側のポンプ段の前記ダウンホール側のねじ付き端のねじ山とが、前記回転インペラの前記回転方向と反対方向に形成されている、ポンプベースと；
前記ポンプベースの前記ねじ付き端と前記最もダウンホール側のポンプ段の前記ダウンホール側のねじ付き端との間に位置決めされたシールと；を更に備える、
請求項１に記載のポンプ組立体。
【請求項６】
前記最もダウンホール側のポンプ段は、前記ポンプベースの前記ねじ付き端にねじ結合するねじ付き端と、前記最もダウンホール側のポンプ段の前記ダウンホール側のねじ付き端にねじ結合するねじ付き端と、を備えるディフューザスペーサを備え、前記ディフューザスペーサのねじ山は前記回転インペラの前記回転方向と反対方向に形成されている、
請求項５に記載のポンプ組立体。
【請求項７】
最もアップホール側のポンプ段のアップホール側のねじ付き端にねじ結合されたねじ付き端を備えるポンプヘッドであって、前記ポンプヘッドの前記ねじ付き端のねじ山と前記最もアップホール側のポンプ段の前記アップホール側のねじ付き端のねじ山とが、前記回転インペラの前記回転方向と反対方向に形成されている、ポンプヘッドと；
前記ポンプヘッドの前記ねじ付き端と前記最もアップホール側のポンプ段の前記アップホール側のねじ付き端との間に位置決めされたシールと；を更に備える、
請求項１に記載のポンプ組立体。
【請求項８】
前記複数のポンプ段は、外部ハウジング無しで軸線方向に端と端でねじ結合されている、
請求項１に記載のポンプ組立体。
【請求項９】
ハウジングレスの坑井ポンプ組立体であって：
ねじ付き端を備えるポンプベースと；
ポンプ段と；を備え、
前記ポンプ段は：
前記ポンプ段及び前記ポンプベースを介して坑井を通りアップホール方向へ流体を流す運動エネルギーを提供するために回転するように構成された回転インペラと；
前記回転インペラが内部に位置決めされた固定ディフューザと；を備え、
前記固定ディフューザは、前記回転インペラから受け取った前記運動エネルギーを揚程に変換して前記ポンプ段を通って前記流体を流すように構成され、
前記固定ディフューザはねじ結合によって前記ポンプベースの前記ねじ付き端に結合されたダウンホール側のねじ付き端を備え、前記固定ディフューザの前記ねじ付き端のねじ山及び前記ポンプベースの前記ねじ付き端のねじ山は、前記回転インペラの回転方向と反対方向に形成されている、
ポンプ組立体。
【請求項１０】
前記固定ディフューザと前記ポンプベースとの間に位置決めされたディフューザスペーサを更に備え、
前記ディフューザスペーサは、前記ポンプベースの前記ねじ付き端にねじ結合によって結合されたねじ付き端と前記固定ディフューザの前記ダウンホール側のねじ付き端にねじ結合によって結合されたねじ付き端とを備え、前記ディフューザスペーサ、ポンプベース、及び固定ディフューザ、の前記ねじ付き端のねじ山は、前記回転インペラの前記回転方向と反対方向に形成されている、
請求項９に記載のポンプ組立体。
【請求項１１】
前記ディフューザスペーサの前記ねじ付き端の一方と、前記ポンプベースの前記ねじ付き端と、の間の前記ねじ結合は、前記ポンプベースと前記ポンプ段とを通って流れる流体が前記ポンプ段の外部に漏れることを阻止するように構成されたシールを備える、
請求項１０に記載のポンプ組立体。
【請求項１２】
前記ディフューザスペーサの前記ねじ付き端の他方と、前記固定ディフューザの前記ダウンホール側のねじ付き端と、の間の前記ねじ結合は、前記ポンプベースと前記ポンプ段とを通って流れる流体が前記ポンプ段の外部に漏れることを阻止するように構成されたシールを備える、
請求項１０に記載のポンプ組立体。
【請求項１３】
前記ポンプ段は第１のポンプ段であり、前記回転インペラは第１の回転インペラであり、前記固定ディフューザは第１の固定ディフューザであり、前記ねじ結合は第１のねじ結合であり、前記ポンプ組立体は前記第１のポンプ段のアップホール側に第２のポンプ段を更に備え、
前記第２のポンプ段は：
前記第１のポンプ段から受け取った前記流体を前記第２のポンプ段を通って前記アップホール方向に流す運動エネルギーを提供するために回転するように構成された第２の回転インペラと；
前記第２の回転インペラが内部に位置決めされた第２の固定ディフューザと；を備え、
前記第２の固定ディフューザは、前記第２の回転インペラから受け取った前記運動エネルギーを揚程に変換して前記第２のポンプ段を通って前記流体を流すように構成され、
前記第２の固定ディフューザは、第２のねじ結合によって前記第１の固定ディフューザのアップホール側のねじ付き端に結合されたダウンホール側のねじ付き端を備え、前記第１の固定ディフューザの前記ねじ付き端のねじ山及び前記第２の固定ディフューザの前記ねじ付き端のねじ山は、前記第１の回転インペラ及び前記第２の回転インペラの回転方向と反対方向に形成されている、
請求項９に記載のポンプ組立体。
【請求項１４】
ねじ付き端を備えるポンプヘッドを更に備え、前記第２の固定ディフューザのアップホール側のねじ付き端は、第３のねじ結合によって前記ポンプヘッドの前記ねじ付き端に結合され、前記第２の固定ディフューザの前記ねじ付き端のねじ山及び前記ポンプヘッドの前記ねじ付き端のねじ山は、前記第１の回転インペラ及び前記第２の回転インペラの前記回転方向と反対方向に形成されている、
請求項１３に記載のポンプ組立体。
【請求項１５】
前記第２の固定ディフューザのアップホール端と前記ポンプヘッドの前記ねじ付き端との間の前記ねじ結合は、前記ポンプヘッドと前記第２のポンプ段とを通って流れる流体が前記第２のポンプ段の外部に漏れることを阻止するように構成されたシールを備える、
請求項１４に記載のポンプ組立体。
【発明の詳細な説明】
【技術分野】
【０００１】
本願は、２０１７年９月１８日に出願された米国特許出願第１５／７０７，３６７号に基づく優先権を主張し、当該米国特許出願のすべての記載内容を援用する。
【０００２】
本明細書は、油田用途の電動水中ポンプ（ＥＳＰ）に関する。
【背景技術】
【０００３】
一部の油井及びガス井は、刺激を与えることなく炭化水素類を地表まで上昇させるのに十分な圧力を含んでいる。しかし、その他の井戸では、貯留層が生来持っている駆動エネルギーは、炭化水素類を地表まで押し出すほどまで強くはない。その結果、このような井戸では、井戸からの炭化水素類の流量を増やすために人工採油が必須になる。炭化水素類が地表まで流れ出るのに十分な圧力を初めは持っている井戸であっても、時間とともに圧力は枯渇し、人工採油が必要になるかもしれない。そのため、大部分の井戸では、普通、生産期間中のある時点で、人口採油が用いられる。人工採油は、井戸内に配置した機械装置を用いて実施することができる。電動水中ポンプ（ＥＳＰ）は、坑井から多量の流体を上昇させる人工採油法の一つの例である。
【発明の概要】
【０００４】
本明細書は、ハウジングのない電動水中ポンプ（ＥＳＰ）を用いて坑井流体を圧送することに関する技術を説明する。ここで説明する主題のある態様は、ハウジングレス坑井ポンプ組立体として実施することができる。このポンプ組立体は、端と端（末端間）で軸線方向に結合され、坑井流体をアップホール方向に圧送する多数のポンプ段を含む。各ポンプ段は、前記坑井ポンプ組立体を通って流体を流す運動エネルギーを提供するために回転する回転インペラと、前記回転インペラが内部に位置決めされた固定ディフューザとを含む。前記固定ディフューザは、前記回転インペラから受け取った前記運動エネルギーを揚程に変換して前記坑井ポンプ組立体を通って前記流体を流す。前記固定ディフューザは、アップホール側のねじ付き端とダウンホール側のねじ付き端とを含み、それぞれのねじ付き端は、別の、アップホール側に位置決めされたポンプ段、及び、別の、ダウンホール側に位置決めされたポンプ段とねじ結合する。前記アップホール側のねじ付き端のねじ山及び前記ダウンホール側のねじ付き端のねじ山は、前記回転インペラの回転方向と反対方向に形成されている。
【０００５】
他の態様は、以下の特徴の１つ以上を含むことができる。
【０００６】
前記アップホール側のねじ付き端の前記ねじ山は、前記固定ディフューザの外面に形成することができ、前記ダウンホール側のねじ付き端の前記ねじ山は、前記固定ディフューザの内面に形成することができる。
【０００７】
前記アップホール側のねじ付き端の前記ねじ山は、前記固定ディフューザの内面に形成することができ、前記ダウンホール側のねじ付き端の前記ねじ山は、前記固定ディフューザの外面に形成することができる。
【０００８】
このポンプ組立体は、前記アップホール側のねじ付き端と、前記他方の、アップホール側に位置決めされたポンプ段の前記ダウンホール側のねじ付き端と、の間に位置決めされた第１のシールと、前記ダウンホール側のねじ付き端と、前記他方の、ダウンホール側に位置決めされたポンプ段の前記アップホール側のねじ付き端と、の間に位置決めされた第２のシールと、を含むことができる。
【０００９】
このポンプ組立体は、最もダウンホール側のポンプ段のダウンホール側のねじ付き端にねじ結合されたねじ付き端を含むポンプベースを含むことができる。前記ポンプベースの前記ねじ付き端のねじ山と前記最もダウンホール側のポンプ段の前記ダウンホール側のねじ付き端のねじ山とは、前記インペラの前記回転方向と反対方向に形成され得る。このポンプ組立体は、前記ポンプベースの前記ねじ付き端と前記最もダウンホール側のポンプ段の前記ダウンホール側のねじ付き端との間に位置決めされたシールを含むことができる。
【００１０】
前記最もダウンホール側のポンプ段は、前記ポンプベースの前記ねじ付き端にねじ結合するねじ付き端と、前記最もダウンホール側のポンプ段の前記ダウンホール側のねじ付き端にねじ結合するねじ付き端と、を含むディフューザスペーサを含むことができる。前記ディフューザスペーサのねじ山は、前記インペラの前記回転方向と反対方向に形成され得る。
【００１１】
このポンプ組立体は、最もアップホール側のポンプ段のアップホール側のねじ付き端にねじ結合されたねじ付き端を含むポンプヘッドを含むことができる。前記ポンプヘッドの前記ねじ付き端のねじ山と前記最もアップホール側のポンプ段の前記アップホール側のねじ付き端のねじ山とは、前記インペラの前記回転方向と反対方向に形成され得る。このポンプ組立体は、前記ポンプヘッドの前記ねじ付き端と前記最もアップホール側のポンプ段の前記アップホール側のねじ付き端との間に位置決めされたシールを含むことができる。
【００１２】
前記多数のポンプ段は、外部ハウジング無しで軸線方向に端と端（末端間）でねじ結合され得る。
【００１３】
ここで説明する主題のある態様は、ハウジングレス坑井ポンプ組立体として実施することができる。このポンプ組立体は、ねじ付き端を含むポンプベースと、ポンプ段とを含むことができる。前記ポンプ段は、前記ポンプ段及び前記ポンプベースを介して坑井を通りアップホール方向へ流体を流す運動エネルギーを提供するために回転する回転インペラと、前記回転インペラが内部に位置決めされた固定ディフューザとを含む。前記ディフューザは、前記回転インペラから受け取った前記運動エネルギーを揚程に変換して前記ポンプ段を通って前記流体を流す。前記ディフューザはねじ結合によって前記ポンプベースの前記ねじ付き端に結合されたダウンホール側のねじ付き端を含む。前記ディフューザの前記ねじ付き端のねじ山及び前記ポンプベースの前記ねじ付き端のねじ山は、前記インペラの回転方向と反対方向に形成されている。
【００１４】
他の態様は、以下の特徴の１つ以上を含むことができる。
【００１５】
このポンプ組立体は、前記ディフューザと前記ポンプベースとの間に位置決めされたディフューザスペーサを含むことができる。前記ディフューザスペーサは、前記ポンプベースの前記ねじ付き端にねじ結合によって結合されたねじ付き端と前記ディフューザの前記ダウンホール側のねじ付き端にねじ結合によって結合されたねじ付き端とを含むことができる。前記ディフューザスペーサ、ポンプベース、及びディフューザ、の前記ねじ付き端のねじ山は、前記インペラの前記回転方向と反対方向に形成されている。
【００１６】
前記ディフューザスペーサの前記ねじ付き端の一方と、前記ポンプベースの前記ねじ付き端と、の間の前記ねじ結合は、前記ポンプベースと前記ポンプ段とを通って流れる流体が前記ポンプ段の外部に漏れることを阻止するシールを含むことができる。
【００１７】
前記ディフューザスペーサの前記ねじ付き端の他方と、前記ディフューザの前記ダウンホール側のねじ付き端と、の間の前記ねじ結合は、前記ポンプベースと前記ポンプ段とを通って流れる流体が前記ポンプ段の外部に漏れることを阻止するシールを含むことができる。
【００１８】
前記ポンプ段は第１のポンプ段であり得る。前記インペラは第１のインペラであり得る。前記ディフューザは第１のディフューザであり得る。前記ねじ結合は第１のねじ結合であり得る。このポンプ組立体は、前記第１のポンプ段のアップホール側に第２のポンプ段を含むことができる。前記第２のポンプ段は、前記第１のポンプ段から受け取った前記流体を前記第２のポンプ段を通って前記アップホール方向に流す運動エネルギーを提供するために回転する第２の回転インペラと、前記第２の回転インペラが内部に位置決めされた第２の固定ディフューザと、を含むことができる。前記第２のディフューザは、前記第２のインペラから受け取った前記運動エネルギーを揚程に変換して前記第２のポンプ段を通って前記流体を流す。前記第２のディフューザは、第２のねじ結合によって前記第１のディフューザのアップホール側のねじ付き端に結合されたダウンホール側のねじ付き端を含むことができる。前記第１のディフューザの前記ねじ付き端のねじ山及び前記第２のディフューザの前記ねじ付き端のねじ山は、前記第１のインペラ及び前記第２のインペラの回転方向と反対方向に形成されている。
【００１９】
このポンプ組立体は、ねじ付き端を含むポンプヘッドを含むことができる。前記第２のディフューザのアップホール側のねじ付き端を、第３のねじ結合によって前記ポンプヘッドの前記ねじ付き端に結合することができる。前記第２のディフューザの前記ねじ付き端のねじ山及び前記ポンプヘッドの前記ねじ付き端のねじ山は、前記第１のインペラ及び前記第２のインペラの前記回転方向と反対方向に形成されている。
【００２０】
前記第２のディフューザのアップホール端と前記ポンプヘッドの前記ねじ付き端との間の前記ねじ結合は、前記ポンプヘッドと前記第２のポンプ段とを通って流れる流体が前記第２のポンプ段の外部に漏れることを阻止するシールを含むことができる。
【００２１】
この明細書に記載された主題の１つ以上の実施の詳細を、添付する図面及び説明に記載する。本主題の他の特徴、態様及び利点は、かかる説明及び図面並びに請求項から明らかになるだろう。
【図面の簡単な説明】
【００２２】
【図１】実施の形態に係る電動水中ポンプ（ＥＳＰ）の概略図である。
【００２３】
【図２Ａ】図１のＥＳＰのディフューザ間の例示のねじ結合の図である。
【図２Ｂ】図１のＥＳＰのディフューザ間の例示のねじ結合の図である。
【００２４】
【図３Ａ】図１のＥＳＰの例示の組立構成部品の図である。
【図３Ｂ】図１のＥＳＰの例示の組立構成部品の図である。
【００２５】
【図４Ａ】図１のＥＳＰの例示の組立構成部品の図である。
【図４Ｂ】図１のＥＳＰの例示の組立構成部品の図である。
【００２６】
【図５】坑井内における図１のＥＳＰの例の図である。
【発明を実施するための形態】
【００２７】
さまざまな図面の同様の番号及び記号は、同様の要素を示す。
【００２８】
電動水中ポンプ（ＥＳＰ）には、日量約１５０バレル（ｂｐｄ）から１５０，０００バレルの坑井流体を坑井から圧送する（吸い上げる）ことができるものがある。ＥＳＰシステムは、遠心ポンプ、プロテクタ、給電ケーブル、モータ、及び地上制御装置を含むことができる。ポンプを用いて、ある場所から別の場所へ流体を移すことができる。モータは機械的動力を提供してポンプを駆動することができ、給電ケーブルは地表からモータへ電力を供給できる。プロテクタは、ポンプからの推力荷重を吸収し、モータからの動力をポンプへ中継し、圧力を均等化し、温度の変動とともに付加的なモータオイルの授受を行い、坑井流体がモータへ侵入することを阻止することができる。ポンプは、多段のインペラとディフューザとを含むことができる。回転インペラは、運動エネルギーを流体に更に与えることができ、固定ディフューザは、インペラからの流体の運動エネルギーを揚程（すなわち、圧力）に変換することができる。ポンプ段を直列に積み重ねて多段システムを形成することができる。多段システムでは、各段で生成された揚程が合計される。例えば、多段システムで得られる総揚程は、最初の段から最後の段まで直線的に増加する。従来のＥＳＰでは、ポンプ段をハウジング内に収容することができる。
【００２９】
遠心ポンプの相似則（親和性の法則）によれば、一定の軸回転数（回転速度）において、ポンプにより提供される揚程（すなわち、圧力）の増加は、インペラ直径の二乗に比例する。したがって、インペラの直径が大きくなると、ポンプ（同じ速度で回転している）は、圧力をかけている流体に、より高い揚程を提供することができる。ＥＳＰのハウジングを取り除くと、ＥＳＰの壁の厚さを保ったままＥＳＰの外径を大きくすることができ、ＥＳＰ内の空間の増加によりインペラのサイズを大きくとることができる。本明細書で述べる技術は、外部ハウジングがなくても、ＥＳＰの構造的一体性とシール能力とを保つことができる。ディフューザは、インペラの回転と反対方向に締まるねじ付き端を有することで、ねじが緩んでしまう可能性を減らし、ポンプの組立て一体性を高めることができる。この組立てに基づけば、圧縮チューブは必須ではないかもしれない。というのは、ねじ結合部からのトルクが、ポンプ作動中におけるディフューザの回転を阻止する抵抗をもたらすことができるからである。シール能力を高めるために、Ｏリングなどの静的シールをディフューザ間の溝に挿入することができる。
【００３０】
ダウンホールＥＳＰは、空間が径方向に制限された環境で作動し、しかも、地表へ産出される坑井流体に与えられる揚程を高くするにはインペラの直径を大きくすることが望ましい。別の態様において、特に、急な曲がり路（ドッグレッグ）がある場合、ポンプの曲げ応力を軽減するために、典型的にはＥＳＰの長さを短く保つことが望ましい。別の例として、短いポンプ長も、潤滑装置を介して設置されたタンデムポンプ（固定された長さと高さとを有することができる）にとっては望ましい。本明細書で述べる主題の特定の各実施を実施して以下の利点のうちの１つ以上を実現することができる。ポンプはハウジングレス（ハウジングが無い）であり、より大きなインペラを用いてより大きな揚程を生成することができる。ポンプは、同じ大きさの揚程を提供する従来のポンプと比較して、長さを短くできる。曲げ応力の軽減により、ポンプ段間で生ずる可能性のある摩擦を減らすことができ、発熱及び電気使用量の望ましくない増加を防ぐことができる。したがって、ＥＳＰの運転寿命を延ばすことができ、信頼性を向上させることができるため、現場の運用コストと生産遅れの可能性を減らすことができる。
【００３１】
図１は、例示のハウジングレス坑井ポンプ組立体１００を示す。ポンプ組立体１００は、ポンプヘッド１０１（差圧に関連する水頭（ヘッド）と混同しないこと）と、ポンプベース１０３と、ポンプ軸１５１と、ヘッド軸受１５３と、上リング１５５と、圧縮ナット１５７と、下リング１６５と、ベース軸受１６７と、多ポンプ段とを含むことができ、多ポンプ段は、例えば、端と端とで軸線方向に結合され、アップホール（孔の上方）方向に井戸流体を汲み上げることができる３ポンプ段（１８０Ａ、１８０Ｂ、１８０Ｃ）である。ポンプ段（１８０Ａ、１８０Ｂ、１８０Ｃ）は、組立体１００を通って流体を流す運動エネルギーを提供するために回転する回転インペラ（１６１Ａ、１６１Ｂ、１６１Ｃ）と、インペラ（１６１Ａ、１６１Ｂ、１６１Ｃ）が内部に位置決めされた固定ディフューザ（１０５Ａ、１０５Ｂ、１０５Ｃ）とを含むことができる。特定の実施では、ポンプ組立体１００は、ディフューザ（例えば、ポンプ段１８０Ａの１０５Ａ）とポンプベース１０３との間に位置決め可能なディフューザスペーサ１０７を含むことができる。ディフューザスペーサ１０７は、ポンプベース１０３のねじ付き端１４１Ａと、ポンプ段１８０Ａの最もダウンホール側（孔の下方側）にあるディフューザ１０５Ａのねじ付き端１３１Ｂのようなディフューザのダウンホール側のねじ付き端と、にねじ結合するねじ付き端（１３１Ａ、１４１Ｂ）を含むことができる。図１に示すポンプ組立体１００とは異なる別の例として、ポンプベース１０３は、最もダウンホール側にあるポンプ段のダウンホールねじ付き端（例えば、ポンプ段１８０Ａのねじ付き端１３１Ｂ）にねじ結合するねじ付き端１４１Ａを含むことができる。ポンプ組立体１００は、ポンプ段（１８０Ａ、１８０Ｂ、１８０Ｃ）の構成部品であるディフューザとは別に、ディフューザ１０５Ｄのような追加のディフューザを含むことができる。特定の実施では、ポンプ組立体１００は、ポンプヘッド１０１と、ディフューザ１０５Ｄなどのディフューザと、の間に位置決め可能なアダプタ１０９を含むことができる。図１に示すポンプ組立体１００とは異なる別の例として、ポンプヘッド１０１は、最もアップホール側（孔の上方側）にあるポンプ段のアップホール側のねじ付き端にねじ結合されたねじ付き端１３１Ｇを含むことができる。ポンプ組立体１００は、ディフューザ中の部品や軸受など、更なる構成部品を含むことができるが、図１には示されていない。
【００３２】
ポンプ組立体１００の構成部品は、内部構成部品又は外部構成部品に分けることができる。ポンプ組立体１００の外部構成部品には、組立体１００の外面１１１との間で表面を共有し、ポンプ組立体１００の外部の流体、すなわちポンプ組立体１００に流入せず加圧されない流体、と接触できる構成部品が含まれる。ポンプ組立体１００の外部構成部品としては、例えば、ポンプヘッド１０１、ポンプベース１０３、ディフューザスペーサ１０７、アダプタ１０９、及びディフューザ１０５Ａ、１０５Ｂ、１０５Ｃ、１０５Ｄを含むことができる。ポンプ組立体１００の外部構成部品は、アップホール側のねじ付き端を含むことができ、これは、例えば、ディフューザスペーサ１０７の１３１Ａ、ディフューザ１０５Ａの１３１Ｂ、ディフューザ１０５Ｂの１３１Ｃ、ディフューザ１０５Ｃの１３１Ｄ、ディフューザ１０５Ｄの１３１Ｅ、アダプタ１０９の１３１Ｆ、及びポンプヘッド１０１の１３１Ｇ、である。ポンプ組立体１００の外部構成部品は、ダウンホールねじ付き端を含むことができ、これは、例えば、ポンプベース１０３の１４１Ａ、ディフューザスペーサ１０７の１４１Ｂ、ディフューザ１０５Ａの１４１Ｃ、ディフューザ１０５Ｂの１４１Ｄ、ディフューザ１０５Ｃの１４１Ｅ、ディフューザ１０５Ｄの１４１Ｆ、アダプタ１０９の１４１Ｇ、である。ポンプ組立体１００は、複数の外部構成部品間にシールを含むことができ、これは、例えば、ポンプベース１０３とディフューザスペーサ１０７との間の１２１Ａ、ディフューザスペーサ１０７とディフューザ１０５Ａとの間の１２１Ｂ、ディフューザ１０５Ａとディフューザ１０５Ｂとの間の１２１Ｃ、ディフューザ１０５Ｂとディフューザ１０５Ｃとの間の１２１Ｄ、ディフューザ１０５Ｃとディフューザ１０５Ｄとの間の１２１Ｅ、ディフューザ１０５Ｄとアダプタ１０９との間の１２１Ｆ、及び、アダプタ１０９とポンプヘッド１０１との間の１２１Ｇ、である。
【００３３】
ポンプ組立体１００の内部構成部品には、外部構成部品内に位置決めされ、ポンプ組立体１００に入って加圧される流体と相互作用可能な構成部品が含まれる。ポンプ組立体１００の内部構成部品は、例えば、ポンプ軸１５１、ヘッド軸受１５３、上リング１５５、圧縮ナット１５７、下リング１６５、ベース軸受１６７、及びインペラ１６１Ａ、１６１Ｂ、１６１Ｃ、を含むことができる。特定の実施では、外部構成部品の一部（例えば、ディフューザ（１０５Ａ、１０５Ｂ、１０５Ｃ、１０５Ｄ）の内面など）も、ポンプ組立体１００に入って加圧される流体と相互作用可能である。
【００３４】
ポンプ組立体１００のインペラ（１６１Ａ、１６１Ｂ、１６１Ｃ）を、ポンプ軸１５１へ機械的に結合することができる。ポンプ軸１５１をモータ（図５参照）に結合してモータで回転させることができ、これによってインペラ（１６１Ａ、１６１Ｂ、１６１Ｃ）を回転することができる。ディフューザ（１０５Ａ、１０５Ｂ、１０５Ｃ）は、対応する回転インペラ（１６１Ａ、１６１Ｂ、１６１Ｃ）から受け取った運動エネルギーを揚程（すなわち、水頭）に変換し、ポンプ段（１８０Ａ、１８０Ｂ、１８０Ｃ）及び組立体１００を通って流体を流すことができる。換言すれば、ポンプ段（１８０Ａ、１８０Ｂ、１８０Ｃ）の回転インペラ（１６１Ａ、１６１Ｂ、１６１Ｃ）が回転して運動エネルギーを提供することにより、ポンプ段（１８０Ａ、１８０Ｂ、１８０Ｃ）及びポンプベース１０３を介して坑井を通りアップホール方向へ流体を流すことができる。ポンプ組立体１００は、各インペラ（１６１Ａ、１６１Ｂ、１６１Ｃ）のアップホール側にあるインペラスペーサ（１６３Ａ、１６３Ｂ、１６３Ｃ）を含むことができる。圧縮ナット１５７により、一番後ろのアップホール側インペラスペーサ（例えば、１６３Ｃ）をポンプ軸１５１に結合することができる。上リング１５５及び下リング１６５（２部品リング又はスプリットリングとも呼ばれる）により、組立体１００の回転構成部品をポンプ軸１５１に結合して動力及び軸推力を伝達することができる。ヘッド軸受１５３及びベース軸受１６７は、軸１５１の相対運動を、例えば軸１５１の軸線周りの自由回転などの望ましい運動のみに制限する。
【００３５】
初めて組立てた後に、インペラ（１６１Ａ、１６１Ｂ、１６１Ｃなど）とインペラスペーサ（１６３Ａ、１６３Ｂ、１６３Ｃなど）との間にすき間ができてしまうことがある。インペラ（１６１Ａ、１６１Ｂ、１６１Ｃ）及びインペラスペーサ（１６３Ａ、１６３Ｂ、１６３Ｃ）は、ポンプ軸１５１へ固定可能な下リング１６５によって、底部で支持することができる。圧縮ナット１５７により、組み立てたインペラ及びインペラスペーサを下リング１６５に対して軸線方向にしっかりと保持できるので、初期すき間は減少又は解消する。２部品リング（１５５、１６５）は、組み立てたインペラ（１６１Ａ、１６１Ｂ、１６１Ｃ）、インペラスペーサ（１６３Ａ、１６３Ｂ、１６３Ｃ）、及び圧縮ナット（１５７）を、ポンプ軸１５１へ確実に固定し、軸１５１に沿う軸線方向の動きを阻止することができる。換言すれば、２部品リング（１５５、１６５）は、組み立てた構成部品がポンプ軸１５１に沿って滑動するのを防ぐことができる。ポンプ軸１５１に沿って構成部品が軸線方向に動くことを防ぐことにより、軸線方向推力はポンプ軸１５１を介して確実に伝達される。更なる摩擦は熱を発生する可能性があり、潜在的なポンプ故障に至る可能性さえある。ポンプ軸１５１に沿って構成部品が軸線方向に動くことを防ぐことにより、回転する構成部品間の（軸線方向での）潜在的な摩擦接触も防ぐことができる。
【００３６】
ポンプ組立体１００の外面１１１は、ポンプ組立体１００の軸線方向長さにわたる直径を変えることができるが、ポンプ段（１８０Ａ、１８０Ｂ、１８０Ｃ）のディフューザ（１０５Ａ、１０５Ｂ、１０５Ｃ）にわたる外面１１１は均一である。本明細書では、用語「実質的に」は、言及された値からの偏差、許容、又は変動が、部品の製造に用いられる工作機械の許容範囲内にあることを意味する。ポンプ組立体１００はハウジングレスであることから、ハウジングを備えた従来のポンプ組立体と比較して、外面１１１の直径を大きくとることができる。ハウジングが無くてポンプ段（１８０Ａ、１８０Ｂ、１８０Ｃ）のディフューザ（１０５Ａ、１０５Ｂ、１０５Ｃ）の厚さを保たなければ、各ポンプ段（１８０Ａ、１８０Ｂ、１８０Ｃ）のインペラ（１６１Ａ、１６１Ｂ、１６１Ｃ）の先端が占めることができる増分空間を、実施によっては、実質的に０．５インチ（１２．５ｍｍ）分だけ増やすことができる。インペラの直径が増加すると、より高い揚程（すなわち、ＥＳＰの入口と出口との間の圧力差の増加）が得られる。一例では、各ポンプ段（１８０Ａ、１８０Ｂ、１８０Ｃ）の外径と、各ポンプ段（１８０Ａ、１８０Ｂ、１８０Ｃ）のインペラ（１６１Ａ、１６１Ｂ、１６１Ｃ）の先端の外径との間の差を、０．２インチ（５．１ｍｍ）と０．４インチ（１０．２ｍｍ）との間とすることができる。同様の外径のハウジングを有するポンプ組立体と比較すると、インペラ直径を約０．５インチ（１２．５ｍｍ）大きくできるので、ここで述べるハウジングレスのポンプで生成される揚程を、約２３％増やすことができる。別の例では、各ポンプ段（１８０Ａ、１８０Ｂ、１８０Ｃ）の外径と、各ポンプ段（１８０Ａ、１８０Ｂ、１８０Ｃ）のインペラ（１６１Ａ、１６１Ｂ、１６１Ｃ）の先端の外径との間の差を、０．１インチ（２．５ｍｍ）と０．２インチ（５．１ｍｍ）との間とすることができる。同様の外径のハウジングを有するポンプ組立体と比較して、インペラの直径を約０．５インチ（１２．５ｍｍ）大きくできるので、生成される揚程を約３２％増やすことができる。
【００３７】
ねじ付き端は、互いにねじ結合で結合できる。ねじ付き端のねじ山は、インペラの回転方向と反対方向に形成することができる。例えば、ポンプ段１８０Ａを通って流体を流す運動エネルギーを提供するために回転するインペラ１６１Ａに呼応して、ディフューザスペーサ１０７とポンプベース１０３との間のねじ結合によって、構成部品（１０７及び１０３）が互いに外れてしまうことを防止できる。なぜなら、ねじ結合のねじ山が、インペラ１６１Ａの回転と反対方向に形成されているからである。同様に、ポンプ段１８０Ａを通って流体を流すための運動エネルギーを提供するために回転するインペラ１６１Ａに呼応して、ディフューザスペーサ１０７とディフューザ１０５Ａとの間のねじ結合によって、構成部品（１０７及び１０５Ａ）が互いに外れてしまうことを防止できる。
【００３８】
実施によっては（図１に示す例とは対照的に）、ディフューザのアップホール側のねじ付き端のねじ山がディフューザの外面に形成され、ディフューザのダウンホール側のねじ付き端のねじ山がディフューザの内面に形成されている。ねじが形成されているポンプ組立体１００のさまざまな構成部品は、構成部品の内面又は外面にねじ山を形成することができる。例えば、図１に示すように、ポンプベース１０３は、その外面にねじ山を形成することができる。これは、スペーサ１０７は、その内面にねじ山が形成されていることを意味する。任意ではある（不図示）が、ポンプベース１０３は、その内面にねじ山を形成することができる。これは、スペーサ１０７は、その外面にねじ山が形成されていることを意味する。ねじ山の形状（すなわち、ねじ山の断面形状）は、正方形、三角形、台形など、任意の形状とすることができる。例えば、ねじは、三角形の形状を持つＶねじ又は鋸歯ねじとすることができる。ねじの他の特性（ねじ山の角度、外径及び内径、ねじピッチなど）は、使用するねじの種類とポンプ組立体１００の全体寸法に左右され得る。
【００３９】
アップホール側のねじ付き端及びダウンホール側のねじ付き端のねじ山を、インペラの回転方向と反対方向に形成することができる。例えば、ディフューザ１０５Ｂのアップホール側のねじ付き端１４１Ｄとダウンホール側のねじ付き端１３１Ｃとのねじ山を、インペラ１６１Ｂの回転方向と反対方向に形成する。従来のＥＳＰは、一般的には、内部でポンプヘッドとポンプベースとがねじ結合されているハウジングを含むが、一般的には、ディフューザ同士を結合するためのねじ付き端を持たない。ポンプ組立体１００にはハウジングが含まれていない。特定の実施では、ディフューザスペーサ１０７は、ポンプベース１０３のねじ付き端１４１Ａ、及び、ディフューザ１０５Ａのダウンホール側のねじ付き端１３１Ｂに、それぞれのねじ結合によって、結合されたねじ付き端（１３１Ａ、１４１Ｂ）を含む。ねじ付き端（１３１Ａ、１３１Ｂ、１４１Ｂ）のねじ山を、ポンプ段１８０Ａを通って流体を流す運動エネルギーを提供するために回転するインペラ１６１Ａの回転方向と反対方向に形成することができる。特定の実施では（図示しない同様の要素を用いて）、ポンプ段が２つ（例えばポンプ段１８０Ａ、１８０Ｂ）だけある。ポンプ段が２つの場合、ポンプヘッド１０１はねじ付き端１３１Ｇを含むことができ、ディフューザ１０５Ｂのねじ付き端１４１Ｄは、ポンプヘッド１０１のねじ付き端１３１Ｇにねじ結合で結合することができる。ねじ付き端（１３１Ｇ及び１４１Ｄ）のねじ山は、ポンプ段１８０Ｂを通って流体を流す運動エネルギーを提供するために回転するインペラ１６１Ｂの回転方向と反対方向に形成することができる。特定の実施では、３つのポンプ段（１８０Ａ、１８０Ｂ、１８０Ｃ）があり、ポンプヘッド１０１と、最もアップホール側のポンプ段（１８０Ｃ）との間に、アダプタ１０９がある。ポンプ組立体１００は、アダプタ１０９と、最もアップホール側のポンプ段（１８０Ｃ）と、の間に（ポンプ段に直接関連付けられていない）ディフューザ１０５Ｄを、任意ではあるがさらに含むことができる。ポンプヘッド１０１、アダプタ１０９、及びディフューザ１０５Ｄは、ねじ付き端を含むことができ、相互にねじ結合できる。ポンプ組立体１００の構成部品のねじ付き端のねじ山は、ポンプ組立体１００を通って流体を流す運動エネルギーを提供するために回転するインペラ（１６１Ａ、１６１Ｂ、１６１Ｃなど）の反対方向に形成することができる。
【００４０】
この構成（すなわち、インペラの回転方向と反対の、構成部品間のねじの締め付け）は、組立ての一体性及びポンプ組立体１００のシール能力を高めることができる。換言すれば、ポンプ組立体１００のポンプ段は、外部ハウジングなしで、軸線方向に端と端でねじ結合できる。最もダウンホール側のポンプ段１８０Ａがポンプベース１０３にねじ結合される場合、ポンプベース１０３のねじ付き端１４１Ａ及び最もダウンホール側のポンプ段１８０Ａのダウンホール側のねじ付き端１３１Ｂのねじ山は、１６１Ａのようなインペラの回転方向と反対方向に形成することができる。最もアップホール側のポンプ段１８０Ｃがポンプヘッド１０１にねじ結合される場合、ポンプヘッド１０１のねじ付き端１３１Ｇ及び最もアップホール側のポンプ段１８０Ｃのアップホール側のねじ付き端１４１Ｅのねじ山は、１６１Ｃのようなインペラの回転方向と反対方向に形成することができる。引き続き図１を参照すると、ポンプ組立体１００が、ポンプヘッド１０１と最もアップホール側のディフューザ１０５Ｄとの間でねじ結合されたアダプタ１０９を含む場合、アダプタ１０９のねじ付き端（１３１Ｆ、１４１Ｇ）のねじ山は、１６１Ｃのようなインペラの回転方向と反対方向に形成することができる。最もダウンホール側のポンプ段１８０Ａがディフューザスペーサ１０７にねじ結合される場合、ディフューザスペーサ１０７のねじ付き端（１３１Ａ、１４１Ｂ）のねじ山は、１６１Ａのようなインペラの回転方向と反対方向に形成することができる。
【００４１】
図２Ａ及び図２Ｂは、図１に示すポンプ組立体１００の異なる視点での図であり、ディフューザ１０５Ｂとディフューザ１０５Ｃとの間のねじ結合を表す。組立の際に、構成部品は、インペラの回転と反対方向に機械的に共にねじ結合される。このやり方でポンプ組立体１００を組み立てることにより、構成部品間に接触力を与えることができる。ねじ締め方向を通常のインペラの回転とは反対にすると、ポンプ作動中におけるねじの緩み効果リスク又はディフューザの共回り（又は空回り）効果リスクを軽減することにより、さらなる作動の一体性を提供することができる。換言すれば、ねじ締め方向とインペラの回転方向とが反対であることにより、ポンプの作動中、構成部品を共に確実に固定したままにしておくことができる。
【００４２】
各固定ディフューザは、アップホール側に位置決めされた別のポンプ段又はスペーサとねじ結合するためのアップホール側のねじ付き端を含むことができる。例えば、ディフューザ１０５Ｂのアップホール側のねじ付き端１４１Ｄは、（ポンプ段１８０Ｃの）ディフューザ１０５Ｃを、（ポンプ段１８０Ｂの）ディフューザ１０５Ｂと結合することができる。各固定ディフューザは、ダウンホール側に位置決めされた別のポンプ段又はスペーサとねじ結合するためのダウンホール側のねじ付き端を含むこともできる。例えば、ディフューザ１０５Ｃのダウンホール側のねじ付き端１３１Ｄは、（ポンプ段１８０Ｂの）ディフューザ１０５Ｂを、（ポンプ段１８０Ｃの）ディフューザ１０５Ｃと結合することができる。特定の実施では、ディフューザのアップホール側のねじ付き端のねじ山は、ディフューザの内面に形成されており（例えば、ディフューザ１０５Ｂのねじ付き端１４１Ｄ）、ディフューザのダウンホール側のねじ付き端のねじ山は、ディフューザの外面に形成されている（例えば、ディフューザ１０５Ｃのねじ付き端１３１Ｄ）。
【００４３】
図３Ａ、図３Ｂ、図４Ａ、及び図４Ｂを参照すると、ポンプ組立体１００のさまざまな構成部品は、シールを取り付けることができる溝を含むことができる。ポンプ組立体１００は、ポンプ段の間に、例えばＯリング又は他のシールを含んで、シール能力を高めることができる。第１のシールを、ポンプ段のアップホール側のねじ付き端と、アップホール側に位置決めされた別のポンプ段のダウンホール側のねじ付き端との間に位置決めできる。例えば、図２Ａ及び図２Ｂに戻ると、シール１２１Ｄを、ポンプ段１８０Ｂのアップホール側のねじ付き端１４１Ｄと、ポンプ段１８０Ｃのダウンホール側のねじ付き端１３１Ｄとの間に位置決めしている。第２のシールを、ポンプ段のダウンホール側のねじ付き端と、ダウンホール側に位置決めされた別のポンプ段のアップホール側のねじ付き端との間に位置決めできる。例えば、シール１２１Ｃを、ポンプ段１８０Ｂのダウンホール側のねじ付き端１３１Ｃと、ポンプ段１８０Ａのアップホール側のねじ付き端１４１Ｃとの間に位置決めしている。ポンプ組立体１００は、他の構成部品間にもＯリングのようなシールを含むことができる。構成部品のねじ付き端（１０３の１４１Ａなど）は１つ以上の溝を含むことができ、この溝は、ねじに対して相対的にアップホール側に位置決めすることも（図３Ａ及び図３Ｂ）、ねじに対して相対的にダウンホール側に位置決めすることも（図４Ａ及び図４Ｂ）、その両方で（一方のねじ付き端に複数の溝がある場合）位置決めすることもできる。１つには、単一のねじ結合に対して複数のシールを用いることにより、シールの信頼性を高めることができる。他方、複数のシールがあることで、組立工程で摩擦（すなわち、こすり）の機会が多くなってしまう可能性がある。一つの例として、共にねじ結合される構成部品のうちの１つは、それらの間に装着されるシール（例えば、図３Ａ及び図３Ｂに示すように１３１Ｂと１４１Ｂとの間の１２１Ｂ）のための溝を、内面に含むことができる。任意ではあるが、共にねじ結合される構成部品のうちの１つは、それらの間に装着されるシール（不図示）のための溝を、外面に含むことができる。特定の実施では、先ず、シール（例えば、Ｏリング）を溝に装着してから、２つの構成部品（例えば、２つのディフューザ）をねじ結合することができる。
【００４４】
図１に戻って参照すると、例えば、ディフューザスペーサ１０７のねじ付き端の一方（１３１Ａ）と、ポンプベース１０３のねじ付き端１４１Ａとの間のねじ結合は、シール１２１Ａのようなシールを含むことができ、このシールは、ポンプベース１０３とポンプ段１８０Ａとを通って流れる流体がポンプ段１８０Ａの外部へ漏れることを阻止することができる。同様に、ディフューザスペーサ１０７の他方のねじ付き端（１４１Ｂ）と、ディフューザ１０５Ａのダウンホール側のねじ付き端１３１Ｂとの間のねじ結合は、シール１２１Ｂのようなシールを含むことができ、このシールは、ポンプベース１０３とポンプ段１８０Ａとを通って流れる流体がポンプ段１８０Ａの外部へ漏れることを阻止することができる。別の例（図示されていないが、同様の要素を用いる）として、ポンプ段を例えばポンプ段１８０Ａ、１８０Ｂの２つだけ有するポンプ組立体１００の場合、ディフューザ１０５Ｂのアップホール側の端１４１Ｄと、ポンプヘッド１０１のねじ付き端１３１Ｇとの間のねじ結合は、シール１２１Ｇのようなシールを含むことができ、このシールは、ポンプヘッドとポンプ段１８０Ｂとを通って流れる流体が第２のポンプ段１８０Ｂの外部へ漏れることを阻止することができる。図１に戻ると、ポンプ組立体１００がアダプタ１０９をポンプヘッド１０１と最もアップホール側のディフューザ１０５Ｄとの間に含んで両方にねじ結合されている場合、アダプタ１０９のアップホール側のねじ付き端１４１Ｇと、ポンプヘッド１０１のダウンホール側のねじ付き端１３１Ｇとの間のねじ結合は、シール１２１Ｇのようなシールを含むことができ、このシールは、ポンプ組立体１００を通って流れる流体がポンプ組立体１００の外部へ漏れることを阻止することができる。
【００４５】
図５は、坑井内の生産システム５００の例を示す。生産システム５００は、ケーシング５０２、モータ５０３、プロテクタ５０４、ポンプ吸入口５０５、パッカ５０６（閉鎖部）、生産チューブ５０７、及び図１に示すハウジングレスポンプ組立体１００などのポンプ組立体、を含むことができる。生産システム５００のさまざまな構成部品の外径は、先に述べたように、変動してもよいが、実質的に同じである。特定の実施では、生産システム５００の構成部品の直径は異なってもよいが、すべての構成部品は、坑井流体５０１の望ましい流れを扱えるように設計することができる。本明細書で述べる特定の例では、ポンプ組立体１００は、坑井流体５０１を、アップホール側、すなわち坑井の地表側へ向けて上昇させる。図５に示すように、モータ５０３を、ポンプ組立体１００に対してダウンホール側に位置決めすることができる。坑井生産システムの構成部品の順序はさまざまであってもよいが、吸入口５０５はポンプ組立体１００のダウンホール側に配置され、プロテクタ５０４は典型的にはモータ５０３に隣接して配置されている。例えば、プロテクタ５０４は、ポンプ組立体１００とモータ５０３との間に位置決めされ、坑井流体５０１を加圧するポンプ組立体１００からの軸線方向荷重の一部を吸収することができる。
【００４６】
パッカ５０６は、ポンプ組立体１００に対してアップホール側に位置決めすることができ、ポンプ組立体１００に対して、坑井のダウンホールの一部を、ポンプ組立体１００に対する坑井のアップホール側の残りの部分から流体的に分離することができる。例えば、パッカ５０６は貯留層を隔離するように位置決めできるため、貯留層からの流体は、先ず、ポンプ組立体１００を通ってから、生産チューブ５０７に入り、そしてさらにアップホールへ移動する。ポンプ吸入口５０５は、流体がポンプ組立体１００に入る前にデブリ（破片）をろ過する膜（スクリーン）を含むことができる。モータ５０３は、センタータンデム（中心直列）（ＣＴ）モータ又は他の適切なモータとすることができる。生産システム５００は更なる構成部品を含むことができ、それは、例えば、圧力、温度、流量、振動用のダウンホールセンサ、追加のパッカ、坑口、セントラライザ（芯出し装置）若しくはプロテクターライザ（保護装置）、チェックバルブ（逆止弁）、モーターシュラウド（鞘）若しくは再循環システム、追加のろ過膜若しくはフィルタ、又は、Ｙツール等のバイパス、などである。
【００４７】
坑井流体５０１は、貯留層から流れ、穿孔又は他の開口部を通ってケーシング５０２に入り、アップホール方向に移動することができる。坑井流体５０１はモータ５０３及びプロテクタ５０４を通過して流れることができ、坑井流体５０１が流れることでモータ５０３を冷却することができる。坑井流体５０１は、ポンプ吸入口５０５に入り、ポンプ組立体１００のベーン（又はインペラ）を通過して流れることができる。例えば、ポンプ組立体１００は、坑井流体５０１を、生産チューブ５０７を通って地表に上昇させるために加圧することができる。生産システム５００は、図５において坑井内に配置されているが、任意に、地表に配置して操業することができる。生産システム５００は、向きを水平にすることができ、この場合、ダウンホールはアップストリームに、アップホールはダウンストリームに、対応する。
【００４８】
このように、主題の特定の実施について述べてきた。他の実施は、添付の特許請求の範囲に含まれる。場合によっては、特許請求の範囲に記載される動作（作用）を異なる順序で実行しても、望ましい結果を得ることができる。さらに、添付の図に示す工程は、望ましい結果を達成するために、示された特定の順序又は連続した順序が必須というわけではない。
【符号の説明】
【００４９】
１００  坑井ポンプ組立体
１０１  ポンプヘッド
１０３  ポンプベース
１０５Ａ、１０５Ｂ、１０５Ｃ  固定ディフューザ
１０７  ディフューザスペーサ
１０９  アダプタ
１１１  外面
１２１  シール
１３１Ａ、１３１Ｂ、１３１Ｇ  ねじ付き端
１４１Ａ、１４１Ｂ  ねじ付き端
１６１Ａ、１６１Ｂ、１６１Ｃ  回転インペラ
１８０Ａ、１８０Ｂ、１８０Ｃ  ポンプ段
【図１】
2020534472.tif 000003
【図２Ａ】
2020534472.tif 000004
【図２Ｂ】
2020534472.tif 000005
【図３Ａ】
2020534472.tif 000006
【図３Ｂ】
2020534472.tif 000007
【図４Ａ】
2020534472.tif 000008
【図４Ｂ】
2020534472.tif 000009
【図５】
2020534472.tif 000010
【国際調査報告】
2020534472.tif 000011
2020534472.tif 000012
2020534472.tif 000013